(57)【要約】押出し機用ダイ−カッター集合体（１）は、第１マニホールドと流体連通状態で取り付け得る開放した第１端（１２）及び取り外し自在の押出し端キャップ（１１）によって形成された閉鎖した第２端を持つ細長い押出し部材（９）を含む。延長部（２２）が細長い押出し部材（９）に形成される。押出し機の第２マニホールドに取り付けることができる押出し部材（９）の壁（１０）に充填体通路（２０）が形成される。第１充填体通路延長部（２４）が充填体通路（２０）と流体連通し且つこの通路に取り外し自在に取り付けられる。第１充填体通路延長部（２４）は充填体通路（２０）に対して略横方向であり、押出し部材（９）の延長部内に延びる。カッター部材（１４）は、駆動可能な開放端（１５）、細長いカッター壁（１６）、及び押出し物を所望の長さに切断するための切断面（１８）を持つ開放したカッター端（１７）を有する。
2005529597.tif 000002
【特許請求の範囲】
【請求項１】
充填体を収容する押出し食品ピースを製造するための押出し機用のダイ−カッター集合体であって、前記押出し機は、加圧状態の食品マッシュを収容するための第１圧力容器、加圧状態の充填体を収容するための第２圧力容器、これらの圧力容器内の圧力を維持するための加圧装置、及び前記第１及び第２の圧力容器と夫々流体連通した第１及び第２のマニホールドを有し、前記ダイ−カッター集合体は前記第１及び第２のマニホールドに流体連通状態で取り付けることができる、ダイ−カッター集合体において、
管状押出し壁を含む細長い押出し部材、
前記管状押出し壁の一端に取り外し自在に取り付けられた押出し端キャップ、
前記押出し機の前記第１マニホールドに流体連通状態で取り付けることができる、前記細長い押出し部材の第二の反対端に設けられた開放した供給端、
前記管状押出し壁に形成された、前記押出し機の前記第２マニホールドに取り付けることができる充填体通路、
前記細長い押出し部材に形成された延長部、
前記充填体通路と連通し且つ前記充填体通路に取り外し自在に取り付けられており、前記充填体通路に対して略横方向に延びて前記細長い押出し部材の前記延長部内に入る第１充填体通路延長部、
前記細長い押出し部材の前記延長部に形成された押出しダイ、及び
開放した駆動可能な端部、細長いカッター壁、及び開放したカッター端であって押出し物がダイを出るときに押出し物を所望長さに切断するための切断面を持つカッター端を有するカッター部材を備え、前記カッター部材は、少なくとも部分的に前記押出し壁を覆って配置され且つこの押出し壁上で往復動をなして摺動でき、前記カッター部材の前記切断面を、前記押出しダイを覆うように及び前記押出しダイから遠ざかるように往復動をなして摺動させるために、前記駆動可能な端部のところで前記押出し機の駆動装置に作動的に連結できる、ダイ−カッター集合体。
【請求項２】
請求項１に記載のダイ−カッター集合体において、前記第１充填体通路延長部は、前記押出し端キャップの内側面に取り付けられ、前記管状押出し壁から前記端キャップとともに取り外すことができる、ダイ−カッター集合体。
【請求項３】
請求項１に記載のダイ−カッター集合体において、前記カッター部材は、前記細長いカッター壁の外側面から延びるハウジングを含み、前記切断面は前記押出しダイと協働した関係で前記ハウジングに配置されている、ダイ−カッター集合体。
【請求項４】
請求項３に記載のダイ−カッター集合体において、前記切断面は、前記ハウジングに取り付けられた切断エレメントに形成されており、前記切断面は前記押出しダイの表面に対して角度を成して形成されている、ダイ−カッター集合体。
【請求項５】
請求項４に記載のダイ−カッター集合体において、前記角度は、前記押出しダイの前記表面に関して２５°乃至９０°である、ダイ−カッター集合体。
【請求項６】
請求項１に記載のダイ−カッター集合体において、前記充填体通路は、前記充填体通路の前記第１充填体通路延長部とは反対側の端部に取り付けられた第２充填体通路延長部を含み、前記第２充填体通路延長部は前記充填体通路の軸線に対して横方向に延び、加圧された充填体を収容するための前記第２圧力容器に連結できる、ダイ−カッター集合体。
【請求項７】
請求項１に記載のダイ−カッター集合体において、前記カッター部材は管状であり、前記細長いカッター壁の内径は前記押出し壁の外径と略同径であり、前記カッター部材は、前記切断面を前記押出しダイと協働しながら往復動させるために、前記押出し壁上で摺動自在である、ダイ−カッター集合体。
【請求項８】
押出し機用ダイ−カッター集合体において、
前記押出し機の第１マニホールドに流体連通状態で取り付けることができる開放した第１端及び取り外し自在の押出し端キャップによって形成された閉鎖した第２端を持つ、細長い押出し部材、
前記細長い押出し部材に形成された延長部、
前記細長い押出し部材の壁に形成された、前記押出し機の第２マニホールドに取り付けることができる充填体通路、
前記充填体通路と連通し且つ前記充填体通路に取り外し自在に取り付けられた、前記充填体通路に対して略横方向に延びて前記細長い押出し部材の前記延長部内に入る第１充填体通路延長部、
前記細長い押出し部材の前記延長部に形成された押出しダイ、及び
開放した駆動可能な端部、細長いカッター壁、及び開放したカッター端であって押出し物がダイを出るときに押出し物を所望長さに切断するための切断面を持つカッター端を有するカッター部材を備え、前記カッター部材は、少なくとも部分的に前記押出し壁を覆って配置され且つこの押出し壁上で往復動をなして摺動でき、前記カッター部材の前記切断面を、前記押出しダイを覆うように及び前記押出しダイから遠ざかるように往復動をなして摺動させるために、前記駆動可能な端部のところで前記押出し機の駆動装置に作動的に連結できる、ダイ−カッター集合体。
【請求項８】
請求項７に記載のダイ−カッター集合体において、前記第１充填体通路延長部は、前記押出し端キャップの内側面に取り付けられており、この端キャップとともに前記管状押出し壁から取り外すことができる、ダイ−カッター集合体。
【請求項９】
請求項７に記載のダイ−カッター集合体において、前記カッター部材は前記細長いカッター壁の外側面から延びるハウジングを有し、前記切断面は前記押出しダイと協働関係で前記ハウジングに配置されている、ダイ−カッター集合体。
【請求項１０】
請求項９に記載のダイ−カッター集合体において、前記切断面は前記ハウジングに取り付けられた切断エレメントに形成されており、前記切断面は前記押出しダイの表面に対して角度を成して形成されている、ダイ−カッター集合体。
【請求項１１】
請求項１０に記載のダイ−カッター集合体において、前記角度は前記ハウジングの前記表面に関して２５°乃至９０°である、ダイ−カッター集合体。
【請求項１２】
請求項７に記載のダイ−カッター集合体において、前記充填体通路は、前記充填体通路の前記第１充填体通路延長部とは反対側の端部に形成された第２充填体通路延長部を含み、前記第２充填体通路延長部は、前記充填体通路の軸線に対して横方向に延びる、ダイ−カッター集合体。
【請求項１３】
請求項７に記載のダイ−カッター集合体において、前記カッター部材は管状であり、前記細長いカッター壁の内径は、前記押出し壁の外径と略同径であり、前記カッター部材は、前記切断面を前記押出しダイと協働しながら往復動させるために、前記押出し壁上で摺動自在である、ダイ−カッター集合体。
【発明の詳細な説明】
【関連出願の相互参照】
【０００１】
本願は、３５Ｕ．Ｓ．Ｃ．セクション１１９に基づき、２００２年６月１１日に出願された米国仮出願第６０／３８７，４４５号の優先権を主張するものであり、これにより、該仮出願の内容を参照して組み入れたものとする。
【技術分野】
【０００２】
本発明は、充填された食品ピースを押し出すための押出しダイ−カッター集合体に関する。更に詳細には、本発明は、押出し部材に形成された延長部及び押出し物をダイ及びカッター集合体から側方に出すことができるようにするための充填体チューブを含む、押出しダイ−カッター集合体に関する。
【背景技術】
【０００３】
押出し食品を製造するための押出し機が知られている。このような押出し機は、従来、押し出されるべき食品のマッシュを加圧状態で収容するための圧力容器を含む。更に、圧力容器内の圧力を維持するための加圧収容、圧力容器と流体連通したマニホールド、及び一般的には圧力容器の下に配置される、マニホールドと流体連通したダイ−カッター集合体が含まれる。
【０００４】
このような押出し機で押し出すことができる食品には、例えば、肉、家禽肉、魚介類、穀物粒、野菜、果物、及び固体の乳製品が含まれる。特定の例として、牛肉、鶏肉、海老、小麦、玉蜀黍、米、馬鈴薯、林檎、及びチーズからマッシュを形成できる。
【０００５】
食品を潰して流体マッシュを形成するのに適した粒径にする。例えば、米国篩番号第５番を通過する粒径にする。更に一般的には第１０番篩、場合によっては第２０番篩乃至最大で第１００番篩を通過する粒径にする。
【０００６】
食品マッシュを製造するため、潰した食品に水又は他の分散液を例えば３％乃至７０％加えてもよい。結着剤、香料、防腐剤、着色剤、安定剤、抗酸化剤、等をマッシュに従来の量で添加してもよい。最も多くの場合、例えばガーガムやアルギン酸ナトリウム等の硬化可能なガム又はペクチン酸塩等のゲル化剤をマッシュに約０．１％乃至２５％の通常の量で添加する。ガム又はペクチン酸塩は、ゲル化エージェント、例えば０．５％乃至１０％の塩化カルシウム及びアルギン酸ナトリウムによって硬化する。
【０００７】
本発明者は、更に、充填体を収容する食品を押し出すための押出し機を発明した。２０００年５月２４日に出願された米国特許出願第０９／５７６，７６６号では、ダイ−カッター集合体は、押出し部材に形成された延長部、及び押出し物をダイ−カッター集合体から側方から出すことができる充填体チューブを含む。これにより、同特許出願の内容を参照して組み入れたものとする。しかしながら、該特許出願では、充填体チューブは、押出し部材の内部通路の長さに亘って延び、そのため、押出し部材をプロセス作業同士の合間で清掃するのが困難であった。
【発明の開示】
【発明が解決しようとする課題】
【０００８】
本発明の目的は、上述の従来技術の欠点を解決する押出し機ダイ−カッター集合体を提供することである。詳細には、本発明の目的は、充填体が入った食品を押し出し、プロセス作業同士の合間に押出し機ダイ−カッター集合体の清掃を容易に行うことができる押出し機ダイ−カッター集合体を提供することである。
【０００９】
本発明の別の目的は、容易に交換できる充填体通路延長部を含む押出し機ダイ−カッター集合体を提供することである。充填体通路延長部は、プロセス作業同士の合間に清掃又は交換を行うために容易に取り外すことができる。更に、充填体通路延長部は、より一層一貫して形成された充填体入り食材を得るために、押出しダイの押出し通路の形状と対応する様々な形状に形成できる。
【課題を解決するための手段】
【００１０】
本発明の上述の目的を達成するために、押出し機用ダイ−カッター集合体は、
押出し機の第１マニホールドに流体連通状態で取り付けることができる開放した第１端及び取り外し自在の押出し端キャップによって形成された閉鎖した第２端を持つ細長い押出し部材、
前記細長い押出し部材に形成された延長部、
前記細長い押出し部材の壁に形成された、押出し機の第２マニホールドに取り付けることができる充填体通路、
前記充填体通路と連通しており且つこの通路から取り外すことができる、前記充填体通路に対して略横方向に延びて前記細長い押出し部材の前記延長部内に入る第１充填体通路延長部、
前記細長い押出し部材の前記延長部に形成された押出しダイ、及び
開放した駆動可能な端部、細長いカッター壁、及び開放したカッター端であって押出し物がダイを出るときに押出し物を所望長さに切断するための切断面を持つカッター端を備えたカッター部材を有し、カッター部材は、少なくとも部分的に押出し壁を覆って配置されており且つこの押出し壁上で往復動をなして摺動でき、カッター部材の切断面を、押出しダイを覆うように及び前記押出しダイから遠ざかるように往復動をなして摺動させるために、駆動可能な端部のところで押出し機の駆動装置に作動的に連結できる。
【００１１】
本発明のこの他の適用範囲は、以下の詳細な説明から明らかになるであろう。しかしながら、詳細な説明及び特定の例は、本発明の好ましい実施形態を示すけれども、単なる例示であるということは理解されるべきである。これは、本発明の精神及び範囲内の様々な変形及び変更が詳細な説明から当業者に明らかになるためである。
【００１２】
本発明は、以下の詳細な説明及び単なる例示であって本発明を限定するものではない添付図面から更によく理解されるであろう。
【発明を実施するための最良の形態】
【００１３】
次に、同一又は同様のエレメントを示すのに同じ参照番号を使用した添付図面を参照して本発明を説明する。
【００１４】
図１及び図２は、「切断準備完了」状態の本発明のダイ−カッター集合体を示す。図１及び図２を参照すると、本発明のダイ−カッター集合体は、略管状の押出し壁１０を持つ細長い環状押出し部材９を含む。環状押出し部材９の底端を閉鎖するために、押出し端キャップ１１が押出し壁１０に連結されており、開放した供給端１２（図４参照）が押出し部材９の上端と隣接して形成されている。押出し端キャップ１１は、例えば複数のねじ（図示せず）で押出し壁１０に取り付けることができる。押出し物が押出し部材９の底端を通って滲み出ないようにするために、ガスケット４７（図９参照）が押出し端キャップ１１と押出し壁１０との間に配置されている。本発明のダイ−カッター集合体は、米国特許第５，７７３，０４３号に記載された押出し機等の押出し機に取り付けることができる。これにより、同特許の内容を参照して組み入れたものとする。従って、押出し機は詳細に説明しない。開放した供給端１２は、例えば、ねじ山を備えたフランジ４０によってマニホールド（図示せず）に流体連通状態で取り付けることができる。マニホールドは、加圧マッシュを収容するための圧力容器（図示せず）に圧力表示装置（図示せず）によって連結できる。
【００１５】
これに加え、本発明のダイ−カッター集合体１は、直径が４．４４５ｃｍ乃至５．０８ｃｍ（１  ３／４インチ乃至２インチ）であるのが好ましい。直径が５．０８ｃｍ（２インチ）の集合体は、例えば上述の押出し機によって支持できる最大直径である。しかしながら、これよりも大径又は小径の集合体が本発明の範疇にあるということは当業者には理解されるべきである。大径の集合体は、集合体間に比較的大きな距離を提供するために押出し機自体を変更することによって使用できる。別の態様では、大径の集合体は、集合体を取り付け体に一つ置きに設け、交互の取り付け体を閉止することによって組み立てることができる。
【００１６】
充填体通路２０が押出し部材９の押出し壁１０を通って延びている。充填体通路２０は、押出し壁１０の厚味のある部分４０を通して穴を押出し部材９の軸線と平行にその全長に沿って穿孔することによって形成される（図４、図６、及び図７参照）。更に、厚味のある部分４０には、穴４１がこの部分に対して垂直に穿孔してある。この穴４１は、押出し部材９に形成された軸線方向通路４２及び充填体通路２０と連通している。更に、厚味のある部分４０とは反対側の押出し壁１０を通して追加の穴４３が形成されている。穴４３は穴４１と同一軸線上に形成されている。充填体通路延長部４４が環状押出し部材９に穴４１及び４３を通して止めねじ４５によって取り付けられている。止めねじは、押出し壁１０に形成された穴４９を通して挿入され（図４参照）、充填体通路延長部４４と係合し、充填体通路延長部４４を所定位置に固定する。充填体通路延長部４４と穴４３との間をシールし、充填材料が環状押出し部材９の軸線方向通路４２に滲み出さないようにするため、Ｏ−リング４６を使用してもよい。充填体通路２０は、更に、第２マニホールド（図示せず）と流体連通している。第２マニホールドは、第２加圧装置（図示せず）によって圧力が加えられた充填材を収容するための第２圧力容器（図示せず）に充填体通路延長部４４を介して連結できる。
【００１７】
マニホールドは、マッシュ及び充填材を複数のダイ−カッター集合体に分配するために、上述の実施形態に含まれる。しかしながら、一つのダイ−カッター集合体しか使用しない場合には、マニホールドの必要性はない。
【００１８】
押出し部材９は、この押出し部材９の軸線に対して実質的に垂直に形成された延長部２２を含む。この延長部２２は、例えば延長部２２に形成された夫々の穴３０を通って延びる（図２及び図４参照）複数のねじ３２によって押出し部材９の側面に取り付けられる。延長部２２は、更に、以下に説明するカッター部材の切断エレメント２１と協働する押出しダイ１３をその端部に備えている。
【００１９】
更に、充填体通路延長部２４が充填体通路２０にこの充填体通路２０の軸線に対して実質的に直角に取り付けられている。特に図２及び図７を参照すると、充填体通路延長部２４は、押出し部材９の延長部２２のほぼ中央に配置されている。しかしながら、充填体通路延長部２４は、用途によっては、中央からずらして配置することもできる。例えば、押出し通路１９の下半部全体が充填体通路２４によって充填されるように、充填体通路延長部２４を提供することができる。この例では、充填体通路を通して充填を行うのでなく、二層製品を形成するために第２マッシュを供給できる。
【００２０】
本発明のダイ−カッター集合体は逆の方法で作動させることもできるということもまた理解されるべきである。詳細には、マッシュを充填チューブに供給し、ソース又は充填体を軸線方向通路４２に提供することにより、コーティングを外側に備えた非常に独特の食品を形成できる。勿論、この例では、所望の製品を得るため、充填チューブ延長部２４及び押出し通路１９の相対的な大きさを変更してもよい。
【００２１】
図２及び図７を再度参照すると、充填体通路２０の充填体通路延長部２４は、押出し部材９の延長部２２に形成された押出し通路１９内を延びる。図９を参照すると、充填体通路２０の充填体通路延長部２４は、充填体通路延長部２４と一体成形された支持ブロック２６によって押出し部材９の押出し端キャップ１１に取り付けられている。支持ブロック２６は、押出し端キャップ１１に例えばねじ２８によって取り付けられる。図７を参照すると、充填体通路延長部２４は、押出し端キャップ１１を押出し壁１０に連結することによって、充填体通路２０と連通した状態で支持される。
【００２２】
本発明のダイ−カッター集合体１は、カッター部材１４を更に含む。カッター部材は、駆動可能な開放端１５、細長いカッター壁１６、及び開放カッター端１７を有する。カッター壁１６には、切断エレメント２１を支持するためのハウジング即ち延長部３４が含まれる。切断エレメント２１は、押出し物が押出しダイ１３を出るとき、押出し物を所望の長さに切断しクリンプするため、押出しダイ１３と協働するための切断面１８を含む。切断エレメント２１は、延長部３４に取り付けられた面プレート３５に複数のねじ３６で取り付けられている。切断エレメント２１の切断面１８は、前記切断エレメント２１の表面に対して２５°乃至９０°の角度で形成されている。図２を参照すると、細長いカッター壁１６の表面には、駆動可能な開放端１５と隣接して二つの切り欠き部分３８が形成されている。これらの切り欠き部分３８は、切断部材１４を往復動させ、及び従って切断エレメント２１を押出しダイ１３と協働しながら上下させるために、駆動装置（図示せず）の作動端を受け入れるようになっている。駆動装置は、切断部材１４を往復動させるための任意の既知の装置であってもよい。当業者には理解されるように、切り欠き部分３８の代わりに、環状押出し部材９の外周に亘って溝（図示せず）を形成することもできる。
【００２３】
押出し壁１０及びカッター部材１４は協働する管状形状を持つように示してあるが、これらはこの他の協働形状で形成されていてもよいということは当業者には容易に理解されよう。切断部材１４について必要とされることは、切断部材１４を押出し壁１０の外側上で摺動的に往復動できるようにするために、内径が押出し壁１０の外径及び形状とほぼ同じ大きさ及び形状を備えているということである。
【００２４】
本発明のダイ−カッター集合体の作動を図２及び図３を参照して以下に説明する。図２が「切断準備完了」状態を示すのに対し、図３は「切断後」状態を示す。図２を参照すると、食品マッシュを収容するための圧力容器からマッシュを押出し部材９の開放した固定端１２を通して圧送する。この際、切断部材１４は上位置にある。充填体は、更に、充填体を収容するための圧力容器から、充填体通路延長部４４、充填体通路２０、及び充填体通路延長部２４を通して圧送される。上述のように、複数のダイ−カッター集合体を使用する場合には、マッシュ及び充填体は、マッシュ及び充填体をダイ−カッター集合体に分配するため、第１及び第２のマニホールドに夫々供給される。
【００２５】
マッシュ及び充填体は、押出し通路１９で合体し、押出しダイ１３を通して圧送される。押出しダイ１３を通して所定長さの押出し物が供給された後、切断部材１４を図２に示す位置から図３に示す位置まで移動し、押出し物を所定長さに切断する。切断部材１４の移動により、切断エレメント２１の切断面１８を押出しダイ１３と協働させ、押出し物の切断及びクリンプを行い、押し出した食品製品内に充填体が切断後にとどまるようにする。
【００２６】
以上の作動は連続的に行われ、所定長さの食品製品を形成するため、押出しダイ１３を出る押出し物は、往復動する切断部材１４によって切断される。
【００２７】
端キャップ１１を充填体通路延長部２４とともに取り外すことにより、充填体通路延長部２４を充填体通路２０から取り外すことができる。これにより、充填体通路延長部２４を様々な形状の通路を持つ充填体通路延長部２４と交換できる。これにより、充填体通路延長部２４の通路の形状を延長部２２内に形成された延長部通路１９と適合させることができる。これにより、結果的に得られた押出し食品製品の形状の一貫性を向上するという利点が得られる。押出し端キャップ１１及び充填体通路延長部２４を取り外すことができるため、ダイ−カッター集合体１のクリーニングを容易に行うことができる。
【００２８】
更に、充填体通路２０を押出し壁１０に形成することにより、環状押出し部材９の軸線方向通路４２内を下方に延びる充填体チューブを設ける必要性をなくすということに着目されたい。これにより、更に、集合体が汚染されないようにするために、本発明のダイ−カッター集合体１のクリーニングを容易に行うことができるという利点が提供される。
【００２９】
図４及び図６を参照すると、充填体通路２０は、押出し壁１０を貫通した上部分２５を穴４１の上方に備えている。上部分２５は、押出し部材９の上端のところで開放している。ダイ−カッター集合体１の作動中、上部分２５はシーリング部材２７（図４参照）によって閉鎖されている。シーリング部材２７は環状ベース２９及び突出部３０を含む。充填体が環状押出し部材９の軸線方向通路４２内に滲みださないようにするために充填体通路２０の上部分２５をシールするために、突出部３０にはＯ−リング３１が設けられている。
【００３０】
しかしながら、プロセス作業同士の合間にダイ−カッター集合体１をクリーニングするために、シーリング部材２７を取り外して充填体通路２０の上部分２５を露呈できる。従って、充填体通路２０は、上部分２５を通して供給されたクリーニング液又は蒸気によってクリーニングを容易に行うことができる。
【００３１】
カッター部材１４は、少なくとも部分的に管状押出し壁を覆って配置されており且つこの管状押出し壁上で摺動自在であり、カッター部材を、押出しダイ１３を覆うように及びこの押出しダイから遠ざかるように往復動をなして摺動させるための駆動装置に駆動可能な端部が作動的に連結されている。カッター部材を作動できる一分間当たりの行程（上下行程）の回数は、毎分８０回乃至５００回である。
【００３２】
圧力容器内の圧力は、マッシュによって及びダイによって大幅に変化するが、通常は、特に−３．８９℃乃至２３．８９℃（２５°Ｆ乃至７５°Ｆ）の通常のマッシュ温度で１７２３．６７５ｋＰａ（２５０ｐｓｉｇ）の圧力を使用する。液体マッシュを製造するために、例えば３％乃至７０％の水又は他の分散液を地の食品に加える。結着剤、香料、防腐剤、着色剤、安定剤、抗酸化剤、等をマッシュに従来の量で添加してもよい。最も多くの場合、例えばガーガムやアルギン酸ナトリウム等の硬化可能なガム又はペクチン酸塩等のゲル化剤をマッシュに約０．１％乃至２５％の通常の量で添加する。ガム又はペクチン酸塩は、ゲル化剤、例えば０．５％乃至１０％の塩化カルシウム及びアルギン酸ナトリウムによって硬化する。
【００３３】
本発明に従って押し出された個々の製品の長さは、カッター部材の作動速度及び製品の押出し速度の両方で決まる。製品の押出し速度は、圧力容器内の製品の粘度及びこの製品に加えられた圧力の関数である。
【００３４】
以上本発明を説明したが、これは様々な方法で変更することができるということは明らかである。このような変更は、本発明の精神及び範囲を逸脱したものとは認められず、当業者に明らかなこうした変更の全てが特許請求の範囲に含まれる。
【図面の簡単な説明】
【００３５】
【図１】図１は、本発明のダイ−カッター集合体の斜視図である。
【図２】図２は、「切断準備完了」状態を示す、本発明のダイ−カッター集合体の正面図である。
【図３】図３は、「切断後」状態を示す本発明のダイ−カッター集合体の正面図である。
【図４】図４は、明瞭化を図るために充填体通路延長部２４及び４４が取り除いてある、図３の４−４線に沿った本発明のダイ−カッター集合体の断面図である。
【図５】図５は、本発明の環状押出し部材９の正面図である。
【図６】図６は、本発明の環状押出し部材９及び充填体通路延長部４４の平面図である。
【図７】図７は、本発明の環状押出し部材９及び充填体通路延長部２４を下から見た平面図である。
【図８】図８は、本発明の充填体通路延長部４４の図である。
【図９】図９は、底キャップ１１及び本発明の充填体通路延長部２４の図である。
【図１０Ａ】図１０Ａは、本発明の延長部２２の図である。
【図１０Ｂ】図１０Ｂは、本発明の延長部２２の図である。
【図１０Ｃ】図１０Ｃは、本発明の延長部２２の図である。
【図１】
2005529597.tif 000003
【図２】
2005529597.tif 000004
【図３】
2005529597.tif 000005
【図４】
2005529597.tif 000006
【図５】
2005529597.tif 000007
【図６】
2005529597.tif 000008
【図７】
2005529597.tif 000009
【図８】
2005529597.tif 000010
【図９】
2005529597.tif 000011
2005529597.tif 000012
【国際調査報告】
2005529597.tif 000013
2005529597.tif 000014